(57)【要約】【課題】外皮の縫い目が解れる虞がなく、かつ、安価で、しかも、縫い目のある高級なボールと同様の弾み方および転がり方を実現するボッチャ用ボールを提供する。【解決手段】ボッチャ用ボール１００は、弾性素材で形成された中空の球状の外皮部１１０と、外皮部１１０の内部の一部を構成する粉粒体１２０と、外皮部１１０の内部のその他を構成する空間部分１３０とを備えている。【選択図】図１
0003220001.tif 000002
【実用新案登録請求の範囲】
【請求項１】
弾性素材で形成された中空の球状の外皮部と、
前記外皮部の内部の一部を構成する粉粒体と、
前記外皮部の内部のその他を構成する空間部分とを備えていること特徴とするボッチャ用ボール。
【請求項２】
前記粉粒体が、第１所定の大きさの粒の集まりである第１の粉粒体、および前記第１の粉粒体より大きい第２所定の大きさの粒の集まりである第２の粉粒体のみから構成されていることを特徴とする請求項１に記載のボッチャ用ボール。
【請求項３】
前記外皮部が、前記内部と外部とを連通する孔を有した圧力調整弁を備え、
前記圧力調整弁の孔の径が、前記粉粒体の粒の径より小さい構成であることを特徴とする請求項１または請求項２に記載のボッチャ用ボール。
【請求項４】
前記外皮部が、前記内部と外部とを連通する孔を有した圧力調整弁を備え、
前記圧力調整弁が、前記孔よりボール中心側に不織布で形成されたフィルタを有している構成であることを特徴とする請求項１乃至請求項３のいずれか１つに記載のボッチャ用ボール。
【考案の詳細な説明】
【技術分野】
【０００１】
本考案は、ボッチャ球技に用いられるボッチャ用ボールに関する。
【背景技術】
【０００２】
従来、ボッチャ球技に用いられるボールとして、五角形または六角形の本革または合成革を縫い合わせて形成された球状の外皮と、この球状の外皮の内部全体に充填された砂とを備えた高級なボールが知られている。
また、固いボールの内部に砂を入れてボールの転がりを少なくするグランドゴルフ室内用ボールが知られている（例えば、特許文献１）。
【先行技術文献】
【特許文献】
【０００３】
【特許文献１】特開２０１２−７１０７６号公報（段落０００４〜段落０００５参照）
【考案の概要】
【考案が解決しようとする課題】
【０００４】
しかしながら、上述した従来のボッチャ球技に用いられる高級なボールは、五角形または六角形の本革または合成革を縫い合わせて球状の外皮が形成され、この球状の外皮の内部全体が砂で充填された構造であったため、ボッチャ競技（練習を含む）において、ボールが投げられて地面に当たったときの衝撃で球状の外皮の縫い目が解れやすく、さらに、ボールが地面を転がるときの摩擦で球状の外皮の縫い目が解れやすく、その度に新しいボールに交換しなくてはならないという問題があった。
高級なボールは、費用が高く、手軽に練習することが困難である。
【０００５】
そこで、本考案は、前述したような従来技術の問題を解決するものであって、すなわち、本考案の目的は、外皮の縫い目が解れる虞がなく、かつ、安価で、しかも、縫い目のある高級なボールと同様の弾み方および転がり方を実現するボッチャ用ボールを提供することである。
【課題を解決するための手段】
【０００６】
本請求項１に係る考案は、ボッチャ用ボールが、弾性素材で形成された中空の球状の外皮部と、前記外皮部の内部の一部を構成する粉粒体と、前記外皮部の内部のその他を構成する空間部分とを備えていることにより、前述した課題を解決するものである。
【０００７】
本請求項２に係る考案は、請求項１に記載されたボッチャ用ボールの構成に加えて、前記粉粒体が、第１所定の大きさの粒の集まりである第１の粉粒体、および前記第１の粉粒体より大きい第２所定の大きさの粒の集まりである第２の粉粒体のみから構成されていることにより、前述した課題をさらに解決するものである。
【０００８】
本請求項３に係る考案は、請求項１または請求項２に記載されたボッチャ用ボールの構成に加えて、前記外皮部が、前記内部と外部とを連通する孔を有した圧力調整弁を備え、前記圧力調整弁の孔の径が、前記粉粒体の粒の径より小さい構成であることにより、前述した課題をさらに解決するものである。
【０００９】
本請求項４に係る考案は、請求項１乃至請求項３のいずれか１つに記載されたボッチャ用ボールの構成に加えて、前記外皮部が、前記内部と外部とを連通する孔を有した圧力調整弁を備え、前記圧力調整弁が、前記孔よりボール中心側に不織布で形成されたフィルタを有している構成であることにより、前述した課題をさらに解決するものである。
【考案の効果】
【００１０】
本請求項１に係る考案のボッチャ用ボールによれば、外皮部に縫い目がないため、縫い目が解れてしまう虞がなく、同じボールを比較的長く使い続けることができる。
さらに、本革または合成革を縫い合わせて球状の外皮を形成する必要がないため、比較的安価に作ることができる。
また、投げられて地面に当たったときに球状の外皮部が弾性変形するとともに粉粒体が外皮部の内部で分散するように移動してボッチャ用ボールが跳ね返ろうとする力が適度に分散されるため、外皮が本革または合成革で内部全体が砂で充填された高級なボールと同様の弾み方を実現することができる。
さらに、投げられて地面を転がる際に外皮部の回転に伴って内部で粉粒体がボール転がり方向前側から後ろ側へすくい上げられてから前側へ滑り落ちるように移動して転がり抵抗となるため、高級なボールと同様の転がる距離や失速具合などの転がり方を実現することができる。
また、転がる際に粉粒体の重みによって外皮部が変形して外皮部と地面との接触面積が広くなるとともに内部の粉粒体も外皮部の変形に伴って移動して適度な抵抗が発生するため、高級なボールと同様の転がり方を実現することができる。
さらに、粉粒体の重みによって外皮部が変形するため、高級なボールの場合と同様、他のボールの上に乗り上げて他のボールの上に留まることができる。
【００１１】
本請求項２に係る考案のボッチャ用ボールによれば、請求項１に係る考案が奏する効果に加えて、大きさの異なる種類の粉粒体を混ぜることにより外皮部の内部で粉粒体同士が噛み合いにくくなるため、内部で軽く固まってしまって重心が偏ってしまいゴロン、ゴロンと回転速度を変化させながら回転してしまうことを回避して回転速度をスムーズに徐々に遅くさせることができる。
さらに、２種類の大きさや比重の粉粒体を混ぜることによりボールを所望の重さにするとともに所望の転がり具合を達成することができる。
【００１２】
本請求項３に係る考案のボッチャ用ボールによれば、請求項１または請求項２に係る考案が奏する効果に加えて、ボールを地面に転がしたり、弾ませた場合であっても、外皮部の内部から外部への粉粒体の移動がブロックされるため、粉粒体が外皮部の内部から外部へ出てしまいボール重量が変化してしまうことを回避することができる。
さらに、夏場や冬場の気温差や標高差による内部圧力の変化があった場合であっても、空気のみが圧力調整弁の孔を通過するため、内部の圧力と外部の圧力である外気圧とを同じにしてボールの弾み具合や転がり具合を安定させることができる。
【００１３】
本請求項４に係る考案のボッチャ用ボールによれば、請求項１または請求項２に係る考案が奏する効果に加えて、粉粒体が圧力調整弁の孔に触れず、孔において空気がある程度出入りするため、ボッチャ用ボールが回転中のとき、粉粒体が圧力調整弁による圧力調整を妨げる虞がなく、高級なボールと同様の回転を実現することができる。
さらに、粉粒体が圧力調整弁の孔に触れないため、粉粒体の粒の大きさと圧力調整弁の孔の径の大きさとの関係にかかわらず、粉粒体がボッチャ用ボールの内部から孔を介して外部へ出てしまうことを回避することができる。
【図面の簡単な説明】
【００１４】
【図１】（Ａ）（Ｂ）は本考案の第１実施例であるボッチャ用ボールの斜視図および断面図。
【図２】（Ａ）〜（Ｃ）は本考案の第１実施例であるボッチャ用ボールが転がっている様子を示す断面図。
【図３】（Ａ）（Ｂ）は本考案の第１実施例であるボッチャ用ボールが転がって他のボールに乗り上げる様子を示す図。
【図４】（Ａ）〜（Ｇ）は本考案の第２実施例であるボッチャ用ボールの圧力調整弁の構造を示す図。
【図５】（Ａ）〜（Ｇ）は本考案の第３実施例であるボッチャ用ボールの圧力調整弁の構造を示す図。
【考案を実施するための形態】
【００１５】
本考案のボッチャ用ボールは、弾性素材で形成された中空の球状の外皮部と、外皮部の内部の一部を構成する粉粒体と、外皮部の内部のその他を構成する空間部分とを備えていることにより、縫い目が解れてしまう虞がなく、同じボールを比較的長く使い続けることができるとともに、比較的安価に作ることができ、さらに、外皮が本革または合成革で内部全体が砂で充填された高級なボールと同様の弾み方を実現することができるものであれば、その具体的な実施態様は、如何なるものであっても構わない。
【００１６】
例えば、弾性素材は、ポリ塩化ビニル（ＰＶＣ）など弾性変形するものであれば、如何なるものであっても構わない。
また、粉粒体は、珪砂などの砂や粉状・粒状の樹脂など、如何なるものであっても構わない。
複数種類の粉粒体を用いる場合、粒の大きさ、または比重がことなるものであればよい。
【実施例１】
【００１７】
以下に、本考案の第１実施例であるボッチャ用ボール１００について、図１（Ａ）乃至図３（Ｂ）に基づいて説明する。
ここで、図１（Ａ）は、本考案の第１実施例であるボッチャ用ボール１００の斜視図であり、図１（Ｂ）は、図１（Ａ）に示す符号１Ｂ−１Ｂで視た断面図であり、図２（Ａ）は、本考案の第１実施例であるボッチャ用ボール１００が転がっている様子を示す断面図であり、図２（Ｂ）は、図２（Ａ）のときからさらに転がって減速した様子を示す断面図であり、図２（Ｃ）は、図２（Ｂ）のときからさらに転がって減速して停止した様子を示す断面図であり、図３（Ａ）は、本考案の第１実施例であるボッチャ用ボール１００が転がって他のボッチャ用ボール１００Ｂに接近した様子を示す図であり、図３（Ｂ）は、図３（Ａ）のときからさらに転がって他のボッチャ用ボール１００Ｂに乗り上げた様子を示す図である。
なお、図２（Ａ）〜図３（Ｂ）において、圧力調整弁１１１などの図示を省略する。
【００１８】
本考案の第１実施例であるボッチャ用ボール１００は、図１（Ａ）および図１（Ｂ）に示すように、中空の球状の外皮部１１０と、外皮部１１０の内部の一部を構成する粉粒体１２０と、外皮部１１０の内部のその他を構成する空間部分１３０（空気）とを備えている。
外皮部１１０は、弾性素材の一例として、ポリ塩化ビニルで形成されている。
外皮部１１０の大きさは、周長２３５ｍｍプラスマイナス８ｍｍ程度である。
外皮部１１０の厚みは、おおよそ１．５ｍｍ〜２．０ｍｍ程度である。
ボッチャ用ボール１００を練習用として用いる場合は、外皮部１１０の周長が、公式ルール上の規格である２７０ｍｍプラスマイナス８ｍｍの範囲内でもよいし、この範囲を超えてもよい。
ボッチャ用ボール１００の重量は、外皮部１１０と、粉粒体１２０と、空間部分１３０とを合わせて２７５ｇプラスマイナス１２ｇ程度である。
粉粒体１２０は、外皮部１１０の内部空間の６５％〜９５％程度を占めている。
【００１９】
これにより、外皮部１１０に縫い目がない。
その結果、縫い目が解れてしまう虞がなく、同じボッチャ用ボール１００を比較的長く使い続けることができる。
さらに、本革または合成革を縫い合わせて球状の外皮を形成する必要がない。
その結果、比較的安価に作ることができる。
【００２０】
また、ユーザー（プレーヤー）によってボッチャ用ボール１００が投げられて地面ＬＤに当たったときに球状の外皮部１１０が弾性変形するとともに粉粒体１２０が外皮部１１０の内部で分散するように移動してボッチャ用ボール１００が跳ね返ろうとする力が適度に分散される。
その結果、外皮が本革または合成革で内部全体が砂で充填された高級なボールと同様の弾み方を実現することができる。
さらに、図２（Ａ）に示すように、ボッチャ用ボール１００が投げられて地面ＬＤを転がる際、公知のある一定の値以上の回転数であれば、外皮部１１０の内部の粉粒体１２０に対して作用する遠心力が重力よりも大きく作用するため、内部の粉粒体１２０が外皮部１１０と一体となって回転する。
このとき、内部の粉粒体１２０に遠心力が作用することにより、外皮部１１０が変形して平面視でボッチャ用ボール１００全体が進行方向の前後方向において幅方向と比べてわずかに長尺な楕円形になる。
この際、粉粒体１２０に遠心力が作用するため、粉粒体１２０のうち、ペレット樹脂１２２より比重の大きい珪砂１２１が、図２（Ａ）に示す断面図における回転中心から遠方（外皮部側）に偏在し、ペレット樹脂１２２が、珪砂１２１より回転中心側に偏在する傾向となる。
これにより、回転方向への慣性力がより大きく作用し、転がり具合が安定する。
そして、図２（Ｂ）に示すように、ある一定の値未満の回転数になったとき、内部の粉粒体１２０に対して作用する遠心力が重力よりも小さくなる。
そのため、内部の粉粒体１２０が外皮部１１０と一体となって回転せず、外皮部１１０の回転に伴って内部で粉粒体１２０がボール転がり方向前側から後ろ側へすくい上げられてから前側へ滑り落ちるように移動して転がり抵抗となる。
この際、ペレット樹脂１２２と珪砂１２１とが撹拌され、外皮部１１０の内部の粉粒体１２０の中でそれぞれ偏在することなく、ほぼ均一に散らばる。
その後、図２（Ｃ）に示すように、ボッチャ用ボール１００が、停止する。
その結果、高級なボールと同様の転がる距離や失速具合などの転がり方を実現することができる。
つまり、高級なボールを高速回転させた場合、高級なボールは回転方向に対して両側面がつぶれた流線形に変形し、安定した転がりを示す。
これと同様に、ボッチャ用ボール１００を高速回転させた場合、圧力調整弁１１１（バルブ）を通して適度に空気調整ができ、高級なボールと同様な形状で安定した転がりを可能とした。
【００２１】
また、転がる際に粉粒体１２０の重みによって外皮部１１０が変形して外皮部１１０と地面ＬＤとの接触面積が広くなるとともに内部の粉粒体１２０も外皮部１１０の変形に伴って移動して適度な抵抗が発生する。
その結果、高級なボールと同様の転がり方を実現することができる。
さらに、粉粒体１２０の重みによって外皮部１１０が変形する。
その結果、高級なボールの場合と同様、図３（Ａ）および図３（Ｂ）に示すように、他のボッチャ用ボール１００の上に乗り上げて他のボッチャ用ボール１００Ｂの上に留まることができる。
【００２２】
本考案の粉粒体１２０は、一例として、第１所定の粒の大きさに揃った第１の粉粒体としての４号サイズの珪砂１２１と、珪砂１２１より粒が大きくて比重の小さい第２所定の大きさの粒の集まりである第２の粉粒体としての直径２〜３ｍｍのペレット樹脂１２２とから構成されている。
ここで、珪砂１２１の粒の大きさは、ある程度の範囲（規格）内で揃っている。
同様に、ペレット樹脂１２２の粒の大きさも、珪砂１２１の粒より大きいある程度の範囲（規格）内で揃っている。
【００２３】
これにより、大きさの異なる種類の粉粒体１２０（１２１、１２２）を混ぜることによって外皮部１１０の内部で粉粒体１２０（１２１、１２２）同士が強固に噛み合いにくくなる。
その結果、内部で軽く固まってしまって重心が偏ってしまいゴロン、ゴロンと回転速度を変化させながら回転してしまうことを回避して回転速度をスムーズに徐々に遅くさせることができる。
つまり、図２（Ａ）〜図２（Ｃ）に示すように、転がっているボッチャ用ボール１００の外皮部１１０の回転に伴って内部で珪砂１２１およびペレット樹脂１２２がボール転がり方向前側から後ろ側へすくい上げられてから前側へ滑り落ちるように移動する際、珪砂１２１およびペレット樹脂１２２が固まらずにサラサラと流れるように移動し、適度な転がり抵抗を発生させる。
【００２４】
そして、この際、転がっているボッチャ用ボール１００の重心が、上下方向に殆ど移動せず、ボール転がり方向のみに移動する。
粉粒体１２０の一例として珪砂１２１やペレット樹脂１２２を用いることにより、主成分が統一され、粒の形状の特徴も統一されて、体積あたりの重量や転がり具合をより細かくコントロールしやすくなる。
さらに、２種類の大きさの粉粒体１２０（１２１、１２２）を混ぜることによりボッチャ用ボール１００を所望の重さにするとともに所望の転がり具合を達成することができる。
これをかみ砕いて説明すると、以下のようになる。
転がっているボッチャ用ボール１００の外皮部１１０の内部で粉粒体１２０としてのペレット樹脂１２２を外皮部１１０に対して移動させるためには、外皮部１１０の内部に空気、つまり、空間部分１３０が必要である。
【００２５】
ボッチャ用ボール１００は、競技の規格により、所定の重量を満たすことが必須である。
ペレット樹脂１２２のみの場合、所定の重量を満たすために、外皮部１１０の内部に多く入れる必要があり、外皮部１１０の内部の空間部分１３０がない、もしくは、殆どない状態になって、ペレット樹脂１２２が外皮部１１０と一体に回転して、転がり過ぎてしまう虞が生じる。
そこで、ペレット樹脂１２２より粒が小さい珪砂１２１を加えることにより、密度が高くなって所定の重量の条件が満たされ、外皮部１１０の内部の空間も確保されて所望の転がり具合を達成することができる。
なお、珪砂１２１のみの場合、所定の重量を満たしやすいが、空間部分１３０の割合が大きくなり過ぎ、弾み具合や転がり具合を達成することが困難であるため、２種類の粉粒体１２０（１２１、１２２）を混ぜるとよい。
転がり具合には、ボッチャ用ボール１００の転がり抵抗だけでなく、ボッチャ用ボール１００の重心の移動の様子も含まれる。
【００２６】
転がり具合の目安は、国際ボッチャ競技連盟が定めるロールテストに通過することができる程度である。
ロールテストは、長さ２９０ｍｍ、傾斜度２５度のアルミニウムランプを使用し、力を加えずにボッチャ用ボール１００を転がして、１００ｍｍ幅の水平のアルミニウム製のＥＸＩＴプレート上を少なくとも１７５ｍｍ転がるか否かを判定する。
ボッチャ用ボール１００がＥＸＩＴプレート上を少なくとも１７５ｍｍ転がれば、合格したとみなされる。
【００２７】
所望の転がり具合を達成することにより、図３（Ａ）に示すように、他のボッチャ用ボール１００Ｂに対して、ユーザーがボッチャ用ボール１００を投げて、このボッチャ用ボール１００が地面ＬＤに当ってから転がっていったとき、図３（Ｂ）に示すように、このボッチャ用ボール１００を他のボッチャ用ボール１００Ｂに乗り上げさせ、他のボッチャ用ボール１００Ｂの上に留まらせることもできる。
このとき、他のボッチャ用ボール１００Ｂの外皮部１１０Ｂの内部の上方は、空間部分１３０であるので、他のボッチャ用ボール１００Ｂの外皮部１１０Ｂの上側のボッチャ用ボール１００との接触箇所は、上に留まったボッチャ用ボール１００の自重によって変形しやすい。
つまり、転がってきた本考案のボッチャ用ボール１００は、高級なボールと同様、他のボッチャ用ボール１００Ｂの上に乗り上がって留まりやすい。
【００２８】
さらに、本考案では、図１（Ａ）および図１（Ｂ）に示すように、外皮部１１０が、内部と外部とを連通する孔１１１ａを有した圧力調整弁１１１を備えている。
そして、圧力調整弁１１１の孔１１１ａの径が、珪砂１２１の粒の径より小さい構成である。
これにより、ボールを地面ＬＤに転がしたり、弾ませた場合であっても、珪砂１２１およびペレット樹脂１２２の外皮部１１０の内部から外部への移動がブロックされる。
その結果、珪砂１２１およびペレット樹脂１２２が外皮部１１０の内部から外部へ出てしまいボール重量が変化してしまうことを回避することができる。
さらに、夏場や冬場の気温差や標高差による内部圧力の変化があった場合であっても、空気のみが圧力調整弁１１１の孔１１１ａを通過する。
その結果、内部の圧力と外部の圧力である外気圧とを同じにしてボッチャ用ボール１００の弾み具合や転がり具合を安定させることができる。
【００２９】
なお、本考案のボッチャ用ボール１００の作り方は、先ず、金型にポリ塩化ビニルを流し込んで回転させることにより球状の中空の外皮部１１０を形成する。
次に、珪砂１２１およびペレット樹脂１２２を、外皮部１１０に設けられた挿通穴１１２を介して、外皮部１１０の外部から内部へ注ぐように入れる。
そして、樹脂ねじ１１３を挿通穴１１２に螺合させて、挿通穴１１２を閉じる。
この際、樹脂ねじ１１３と挿通穴１１２との僅かな隙間、または、樹脂ねじ１１３の凹溝と挿通穴１１２との僅かな隙間が、圧力調整弁１１１の孔１１１ａとなる。
【００３０】
また、本実施例のボッチャ用ボール１００は、孔１１１ａを有して、内部の圧力と外部の圧力である外気圧とを同じにする圧力調整弁１１１を有したが、これに代えて、スリット孔を有して内部の圧力を保持する圧力保持弁でもよい。
圧力保持弁のスリット孔は、弾性素材で形成されて通常閉じている。
そして、空気ポンプの針がスリット孔に刺さったときに押し広げられてスリット孔が開き、空気ポンプによって空気が入れられて外皮部１１０の内部の圧力が外気圧より高められる。
【００３１】
このようにして得られた本考案の第１実施例であるボッチャ用ボール１００は、弾性素材で形成された中空の球状の外皮部１１０と、外皮部１１０の内部の一部を構成する粉粒体１２０と、外皮部１１０の内部のその他を構成する空間部分１３０とを備えていることにより、外皮が本革または合成革で内部全体が砂で充填された高級なボールと同様の弾み方や、転がる距離や失速具合などの転がり方を実現することができるとともに、高級なボールの場合と同様、他のボールの上に乗り上げて他のボールの上に留まることができる。
【００３２】
さらに、粉粒体１２０が、第１所定の大きさの粒の集まりである第１の粉粒体の一例としての珪砂１２１、および珪砂１２１より大きい第２所定の大きさの粒の集まりである第２の粉粒体の一例としてのペレット樹脂１２２のみから構成されていることにより、内部で軽く固まってしまって重心が偏ってしまいゴロン、ゴロンと回転速度を変化させながら回転してしまうことを回避して回転速度をスムーズに徐々に遅くさせることができ、２種類の大きさの粉粒体１２０（１２１、１２２）を混ぜることによりボールを所望の重さにするとともに所望の転がり具合を達成することができる。
【００３３】
また、外皮部１１０が、内部と外部とを連通する孔１１１ａを有した圧力調整弁１１１を備え、圧力調整弁１１１の孔１１１ａの径が、粉粒体１２０の粒の径より小さい構成であることにより、粉粒体１２０が外皮部１１０の内部から外部へ出てしまいボール重量が変化してしまうことを回避するとともに、夏場や冬場の気温差や標高差による内部圧力の変化があった場合であっても、内部の圧力と外部の圧力である外気圧とを同じにしてボールの弾み具合や転がり具合を安定させることができるなど、その効果は甚大である。
【実施例２】
【００３４】
続いて、本発明の第２実施例であるボッチャ用ボール２００について、図４（Ａ）〜（Ｇ）に基づいて説明する。
ここで、図４（Ａ）は、本発明の第２実施例のボッチャ用ボール２００の圧力調整弁２１１を示す断面図であり、図４（Ｂ）は、図４（Ａ）の符号４Ｂから視たインサート部品２１４の平面図であり、図４（Ｃ）は、図４（Ｂ）の符号４Ｃ−４Ｃで視たインサート部品２１４の断面図であり、図４（Ｄ）は、図４（Ａ）の符号４Ｄから視たインサート部品２１４の底面図であり、図４（Ｅ）は、図４（Ａ）の符号４Ｅから視たキャップ２１５の平面図であり、図４（Ｆ）は、図４（Ｅ）の符号４Ｆから視たキャップ２１５の側面図であり、図４（Ｇ）は、図４（Ａ）の符号４Ｇから視たキャップ２１５の底面図である。
第２実施例のボッチャ用ボール２００は、第１実施例のボッチャ用ボール１００の圧力調整弁１１１の構造を変更したものであり、多くの要素について第１実施例のボッチャ用ボール１００と共通するので、共通する事項については詳しい説明を省略し、下２桁が共通する２００番台の符号を付すのみとする。
【００３５】
図４（Ａ）に示すように、第２実施例のボッチャ用ボール２００の圧力調整弁２１１は、インサート部品２１４と、キャップ２１５とを有している。
インサート部品２１４およびキャップ２１５は、ポリ塩化ビニルやエラストマなどの樹脂によって形成されている。
図４（Ｂ）〜図４（Ｄ）に示すように、インサート部品２１４は、円筒状に形成されている。
そして、インサート部品２１４の外周側が、外皮部２１０に圧着または溶着されている。
また、インサート部品２１４の円筒状の穴の径は、前述した第１実施例の挿通穴１１２の径より大きく設けられている。
【００３６】
これにより、製造工程において、粉粒体がボッチャ用ボール２００の内部に入りやすくなる。
また、インサート部品２１４のキャップ接触部分２１４ａおよび爪被係合部分２１４ｂは、凹凸形状に形成されている。
そして、ボッチャ用ボール２００の内部に粉粒体が入れられると、インサート部品２１４にキャップ２１５が取り付けられる。
図４（Ｅ）〜図４（Ｇ）に示すように、キャップ２１５は、インサート部品２１４の円筒状の穴に嵌まるように形成されている。
【００３７】
そして、キャップ２１５は、インサート部品２１４の円筒状の穴を塞ぐように取り付けられ、キャップ２１５の爪部分２１５ａが、インサート部品２１４の爪被係合部分２１４ｂと係合するように構成されている。
キャップ２１５がインサート部品２１４に取り付けられた状態では、キャップ２１５と接触する箇所であるキャップ接触部分２１４ａおよび爪被係合部分２１４ｂが、凹凸形状であり、粉粒体の粒の大きさより小さな隙間である孔２１１ａを形成するため、前述した第１実施例と同様、ボッチャ用ボール２００の内部の圧力を調整することができる。
【実施例３】
【００３８】
続いて、本発明の第３実施例であるボッチャ用ボール３００について、図５（Ａ）〜（Ｇ）に基づいて説明する。
ここで、図５（Ａ）は、本発明の第３実施例のボッチャ用ボール３００の圧力調整弁３１１を示す断面図であり、図５（Ｂ）は、図５（Ａ）の符号５Ｂから視たインサート部品３１４の平面図であり、図５（Ｃ）は、図５（Ｂ）の符号５Ｃ−５Ｃで視たインサート部品３１４の断面図であり、図５（Ｄ）は、図５（Ａ）の符号５Ｄから視たインサート部品３１４の底面図であり、図５（Ｅ）は、図５（Ａ）の符号５Ｅから視たキャップ３１５の平面図であり、図５（Ｆ）は、図５（Ｅ）の符号５Ｆから視たキャップ３１５の側面図であり、図５（Ｇ）は、図５（Ａ）の符号５Ｇから視たキャップ３１５の底面図である。
【００３９】
第３実施例のボッチャ用ボール３００は、第１実施例のボッチャ用ボール１００の圧力調整弁１１１や第２実施例のボッチャ用ボール２００の圧力調整弁２１１の構造を変更したものであり、多くの要素について第１実施例のボッチャ用ボール１００や第２実施例のボッチャ用ボール２００と共通するので、共通する事項については詳しい説明を省略し、下２桁が共通する３００番台の符号を付すのみとする。
【００４０】
図５（Ａ）に示すように、第３実施例のボッチャ用ボール３００の圧力調整弁３１１は、インサート部品３１４と、キャップ３１５と、不織布で形成されたフェルトフィルタ３１６とを有している。
フェルトフィルタ３１６は、一例として一辺約１０ｍｍの略直方体に近いものを使用している。
また、圧力調整弁３１１の孔３１１ａは、キャップ３１５自体に設けられている。
そのため、図５（Ｂ）〜図５（Ｄ）に示すように、本実施例では、前述した実施例２の構成と異なり、インサート部品３１４における内径側（キャップ接触部分）および爪被係合部分３１４ｂは凹凸ではなく平坦に形成されている。
【００４１】
さらに、図５（Ｅ）〜図５（Ｇ）に示すように、本実施例において、圧力調整弁３１１の孔３１１ａは、キャップ３１５においてテーパ状に形成され、ボール内部（ボール中心）から外部へ向かって孔３１１ａの径が小さくなるように構成されている。
孔３１１ａの最も小さい径の箇所の直径は、１ｍｍ程度である。
また、フェルトフィルタ３１６が、キャップ３１５の内側における孔３１１ａよりボール中心側の位置に圧入されている（押し込まれている）。
【００４２】
つまり、圧入によってフェルトフィルタ３１６とキャップ３１５の内側との間に摩擦力が生じ、フェルトフィルタ３１６がキャップ３１５の内側の所定位置に保持されるように構成されている。
言い換えると、圧力調整弁３１１が、孔３１１ａよりボール中心側に不織布で形成されたフィルタであるフェルトフィルタ３１６を有している。
これにより、粉粒体がキャップ３１５の孔３１１ａに触れず、孔３１１ａにおいて空気が適度に出入りする。
その結果、ボッチャ用ボール３００が回転中のとき、粉粒体が圧力調整弁３１１による圧力調整を妨げる虞がなく、高級なボールと同様の回転を実現することができる。
さらに、粉粒体の粒の大きさと圧力調整弁３１１の孔３１１ａの径の大きさとの関係にかかわらず、ボッチャ用ボール３００の内部にある粉粒体が孔３１１ａを介して外部に出してしまうことを防止できる。
同様に、砂や埃などの異物がボッチャ用ボール３００の外部から内部に進入してしまうことを防止できる。
【００４３】
また、キャップ３１５の内側には、環状突起部分３１５ｂが形成され、環状突起部分３１５ｂが、フェルトフィルタ３１６をより確実に保持するように構成されている。
これにより、ボッチャ用ボール３００が高速回転したときや、ボッチャ用ボール３００が地面ＬＤに落下して衝撃を受けたときや、他のボールと接触して衝撃を受けたときであっても、フェルトフィルタ３１６がキャップ３１５の内側の所定位置に保持される。
その結果、高級なボールと同様の回転をより確実に実現することができる。
なお、本実施例において、粉粒体の粒の大きさは問わない。
【００４４】
このようにして得られた本考案の第３実施例であるボッチャ用ボール３００は、外皮部３１０が、内部と外部とを連通する孔３１１ａを有した圧力調整弁３１１を備え、圧力調整弁３１１が、孔３１１ａよりボール中心側に不織布で形成されたフィルタであるフェルトフィルタ３１６を有している構成であることにより、ボッチャ用ボール３００が回転中のとき、粉粒体が圧力調整弁３１１による圧力調整を妨げる虞がなく、高級なボールと同様の回転を実現することができ、粉粒体の粒の大きさと圧力調整弁３１１の孔３１１ａの径の大きさとの関係にかかわらず、ボッチャ用ボール３００の内部にある粉粒体が孔３１１ａを介して外部に出してしまうことを防止できるなど、その効果は甚大である。
【符号の説明】
【００４５】
１００、  ２００、  ３００  ・・・  ボッチャ用ボール（本考案）
１００Ｂ                    ・・・  他のボッチャ用ボール（本考案）
１１０、  ２１０、  ３１０  ・・・  外皮部
１１１、  ２１１、  ３１１  ・・・  圧力調整弁
１１１ａ、２１１ａ、３１１ａ・・・  孔
１１２                      ・・・  挿通穴
１１３                      ・・・  樹脂ねじ
２１４、  ３１４  ・・・  インサート部品
２１４ａ          ・・・  キャップ接触部分
２１４ｂ、３１４ｂ・・・  爪被係合部分
２１５、  ３１５  ・・・  キャップ
２１５ａ、３１５ａ・・・  爪部分
３１５ｂ・・・  環状突起部分
３１６  ・・・  フェルトフィルタ（フィルタ）
１２０                      ・・・  粉粒体
１２１                      ・・・  珪砂（第１の粉粒体）
１２２                      ・・・  ペレット樹脂（第２の粉粒体）
１３０                      ・・・  空間部分（空気）
ＬＤ                        ・・・  地面
【図１】
0003220001.tif 000003
【図２】
0003220001.tif 000004
【図３】
0003220001.tif 000005
【図４】
0003220001.tif 000006
【図５】
0003220001.tif 000007